(57)【特許請求の範囲】
【請求項１】
縦線と横線を格子状に組み合わせ、水平に対して所定の傾斜角度を有する斜め線格子であって、
縦線と、
前記縦線に対して前記傾斜角度とは異なる固定角度で配設固定され、更に格子厚さ方向に交互に曲げられ、更にねじれ変形することにより前記傾斜角度に傾斜した横線と、
を有することを特徴とする斜め線格子。
【請求項２】
前記横線の線格子厚さ方向の曲部の頂点に縦線が配設されている、
請求項１に記載の斜め線格子。
【請求項３】
縦線と横線を直角を含む所定の固定角度で格子状に組み合わせて固定して、前記固定角度に等しい水平を含む傾斜角度を有する格子体を形成し、
該横線を格子体厚さ方向に交互に曲げ、
該格子体を変形させて前記傾斜角度を所望の傾斜角度とする、
ことを特徴とする斜め線格子の製造方法。
【発明の詳細な説明】
【０００１】
【発明の属する技術分野】
この発明は、斜め線格子に関する。
【０００２】
【従来の技術】
格子フエンス等に用いられる縦線と横線を格子状に組み合わせた線格子は、縦線と横線とが直角に組み合わせられて、格子目を４角形に形成されているのが普通であり、フエンス等の場合にはこれを水平の地盤に、縦線が垂直に又横線が水平になるように設置して、線格子全体として水平の状態を維持して設置している。
一方地盤が傾斜している場所に格子フエンスを設置する場合には、図６（Ａ）に示すように線格子を斜めに傾けて左右両端を垂直に切断するか、或いは（Ｂ）に示すように線格子の上下両端を傾斜に合わせた斜め線に沿って切断して、傾斜地用フエンスとしていた。
しかし、このような線格子の場合、格子目形状が４角形を維持しているにも関わらず、フエンス体全体が平行四辺形になり、形状が一致せず、デザイン的な問題がある。
この点に鑑みて、本願出願人は登録意匠第６５６６９２号に示すように、格子目自体を傾斜に合わせて平行四辺形としたデザインを開発した。この形状は（Ｃ）に示すように格子フエンス全体の形状と格子目形状が一致している。
【０００３】
【発明が解決しようとする課題】
しかし、このような線格子を作成するには、縦線に対する横線の角度を傾斜地に合わせた角度にしなければならず、格子を作成する際に種々の傾斜角度のものを用意しなければならない問題があった。
この問題を解決するために、図７の（Ａ）に示すように線格子の両端を矢印に示す上下逆方向に力を加えて斜め線格子とする方法がある。
しかし、この場合縦線と横線の溶接部が破損したり弱くなる問題がある。また溶接部の強度を上げると、（Ｂ）に示すように縦線Ｖと横線Ｈの交差部分で角度が元のまま維持され、他の部分で斜めになり、横線Ｈが全体として階段状に形成され、きれいな平行四辺形の格子目にならない問題があった。
本発明は上記従来技術の欠点を改善することを目的とする。
【０００４】
【課題を解決するための手段】
上記目的を達成するために本発明は、縦線と横線を格子状に組み合わせ、水平に対して所定の傾斜角度を有する斜め線格子であって、縦線と、前記縦線に対して前記傾斜角度とは異なる固定角度で配設固定され、更に格子厚さ方向に交互に曲げられ、更にねじれ変形することにより前記傾斜角度に傾斜した横線と、を有することを特徴とする。
又本発明の斜め線格子製造方法は、縦線と横線を直角を含む所定の固定角度で格子状に組み合わせて固定して、前記固定角度に等しい水平を含む傾斜角度を有する格子体を形成し、該横線を格子体厚さ方向に交互に曲げ、該格子体を変形させて前記傾斜角度を所望の傾斜角度とする、ことを特徴とする。
このような構成の斜め線格子は、水平状の線格子から或いは基準となる所定角度の斜め線格子から簡単に必要とする傾斜の斜め線格子とすることができ、製造が容易である。また、横線がねじれ変形しており、従来のように階段形状に曲げられない。そのため、格子目が平行四辺形を形成し、外観的に美しく強度も大きい。
横線の交互の曲げは所定のピッチで行えば良く、通常は縦線が曲部の頂点に位置するように曲げるが、縦線が頂点に位置しなくても良い。また曲げ形状としては三角形、サインカーブ、等種々のものが可能であり、また必ずしも規則性をもった曲げである必要はない。
【０００５】
【発明の実施の形態】
以下本発明の実施の形態を図面に基づいて説明する。
図１はこの斜め線格子Ｘの概観斜視図であり、縦線１と横線２から構成されている。図中縦線１、横線２の線の太さは図示を省略してある。
横線２は交互に線格子Ｘ厚さ方向に曲げられており、線格子Ｘ全体が左端が下方向、右端が上方向に引張されて、斜め形状になっている。
【０００６】
図２において（Ａ）は平面形状、（Ｂ）は正面形状を示している。また（ア）（イ）（ウ）は順序を示している。
最初に通常の格子が製造される（ア）。即ち縦線１と横線２をほぼ直角に交差させ、該交差部を溶接により固定する。なお、最初に縦線１に対して横線２を斜めに固定して格子目を平行四辺形とした斜め格子を出発格子としても良い。現実には、何種類かの角度の異なった斜め格子を作っておき、本発明方法により要求される傾斜に合わせた斜め線格子を製造することが望ましい。
【０００７】
次に横線２を交互に波形状に曲げ、線格子Ｘ全体を波形状にする。この曲げの形状、ピッチ、曲げ数は任意であり、必要に応じて適宜決定すればよい。また該曲げ部と縦線１との位置関係も任意であるが、曲り部３の頂点に縦線１が位置するように曲げるのが普通である。
図５に横線２の曲げ形状及び縦線１の位置の例を示す。
【０００８】
次に、線格子Ｘの上右端１０と下左端１１をそれぞれ逆方向に引っ張って、全体を斜め形状にし、所望の角度の斜め線格子Ｘを得る（ウ）。
【０００９】
この際、図３及び図４に示すように横線２はねじれ変形を起こして、斜めに傾斜する。そのため、従来のように階段状に変形することがなく、正確な平行四辺形の格子目が形成される。
【００１０】
なお、線格子Ｘを変形する際には引張だけでなく、押圧等の種々の方法があり、部分的に力を加えたり全体に加える等の方法を適宜採用できる。
【００１１】
また、上記では傾斜を大きくする変形を説明したが、逆に傾斜を小さくするように変形することも当然に可能である。
【００１２】
横線２のねじれ変形の態様は、横線２の厚さ方向の曲げ形状により種々異なることが予想される。例えば、図５（Ａ）に示すように三角形状に曲げた場合には、図４（Ｂ）に示すように横線２は曲り部３の近傍でねじり変形を起こす。
従って、要求される変形量や線材の強度或いは溶接強度などに応じて、適当な横線２の曲げ形状を選択するのが望ましい。
【００１３】
以上のような線格子Ｘにおいては、縦線１と横線２を直角に設定した通常の線格子のみか或いは横線２を斜めにした数種類の線格子を用意しておき、要求される傾斜に応じて、図２に示す工程により斜め線格子を製造すれば良く、要求される傾斜に応じた格子目を有する線格子をその都度作成する必要がない。
しかも、横線２がねじれ変形を起こすことにより、従来のように階段状に曲げられることがなく、正確な平行四辺形の格子目を形成でき、外観上及び強度上も優れた斜め線格子を得ることが可能である。
【発明の効果】
以上説明したように本発明によれば、製造が容易でしかも外観及び強度に優れた斜め線格子を得ることが可能である。
【図面の簡単な説明】
【図１】本発明の一実施形態を示す斜視図。
【図２】本発明の一実施形態における製造方法の説明図。
【図３】本発明の一実施形態における製造方法の説明図。
【図４】本発明の一実施形態における横線の変形の説明図。
【図５】本発明の一実施形態における横線の厚さ方向の曲げ形状の説明図。
【図６】従来技術の説明図。
【図７】従来技術の説明図。
【符号の説明】
１：縦線、２：横線、３：曲り部、１０：上右端、１１：下左端。
【図１】
0004116171.tif 000002
【図２】
0004116171.tif 000003
【図３】
0004116171.tif 000004
【図４】
0004116171.tif 000005
【図５】
0004116171.tif 000006
【図６】
0004116171.tif 000007
【図７】
0004116171.tif 000008